(57)【要約】【課題】複数のピニオンギヤ５３をそれぞれピニオンシャフト５４を介してキャリヤ５５に支持させたプラネタリギヤ装置５０において、過大なトルクが入力されても、ピニオンシャフト５４が傾くことを抑制または防止可能として、各ギヤの歯当たり状態を良好に保てるようにする。【解決手段】キャリヤ５５は、各ピニオンシャフト５４の一端側を支持する第１支持部５６と、各ピニオンシャフト５４の他端側を支持する第２支持部５７と、第１支持部５６と第２支持部５７とを連結する連結部５８とを含んだ構成とされる。ピニオンシャフト５４において前記いずれか一方の支持部に支持される片方の端部が小径軸部５４ｂとされたうえで、当該ピニオンシャフト５４の胴部５４ａに、当該胴部５４ａと小径軸部５４ｂの段壁面５４ｃから胴部５４ａ内へ向けて凹む凹部５４ｄが設けられている。【選択図】図２
2009108996.tif 000002
【特許請求の範囲】
【請求項１】
複数のピニオンギヤをそれぞれピニオンシャフトを介してキャリヤに支持させたプラネタリギヤ装置であって、
前記キャリヤが、前記各ピニオンシャフトの一端側を支持する第１支持部と、前記各ピニオンシャフトの他端側を支持する第２支持部と、これら両支持部を連結する連結部とを含んだ構成とされ、
前記ピニオンシャフトにおいて前記いずれか一方の支持部に支持される片方の端部が小径軸部とされ、当該ピニオンシャフトの胴部に、当該胴部と前記小径軸部との段壁面から前記胴部内へ向けて凹む凹部が設けられている、ことを特徴とするプラネタリギヤ装置。
【請求項２】
請求項１に記載のプラネタリギヤ装置において、
前記キャリヤの第１支持部および第２支持部は、軸方向に離隔して対向配置される二枚のリング状プレートとされ、前記キャリヤの連結部は、前記二枚のリング状プレートの円周数ヶ所において当該両リング状プレートに架け渡されるブリッジ状プレートとされる、ことを特徴とするプラネタリギヤ装置。
【請求項３】
請求項１または２に記載のプラネタリギヤ装置において、
前記凹部は、前記小径軸部の周りに連続する環状溝とされ、この環状溝の内径側周面が、前記小径軸部の外周面と面一になるように連続的に設けられる、ことを特徴とするプラネタリギヤ装置。
【請求項４】
入力されるエンジン動力と内部に配備されるモータ動力との少なくともいずれか一方を、必要に応じて下流側へ伝達する動力分割機構を有するとともに、前記モータ動力を変速するリダクション機構を有する車両用トランスアクスルであって、
前記リダクション機構や動力分割機構の少なくともいずれか一方が、請求項１から３のいずれか一つに記載のプラネタリギヤ装置とされる、ことを特徴とする車両用トランスアクスル。
【発明の詳細な説明】
【技術分野】
【０００１】
本発明は、複数のピニオンギヤをそれぞれピニオンシャフトを介してキャリヤに支持させたプラネタリギヤ装置に関する。また、本発明は、自動車等の車両に搭載されるトランスアクスルに関する。
【０００２】
なお、プラネタリギヤ装置は、例えば車両に搭載されるトランスアクスルや、トランスミッション、ならびにトランスファ等に用いられているが、その他にも、工作機械や各種機器に用いられている。
【背景技術】
【０００３】
従来から、自動車等の車両に搭載されるトランスアクスル、トランスミッション、ならびにトランスファ等には、プラネタリギヤ装置が特定の機能を果たす部品として使用されている。
【０００４】
このプラネタリギヤ装置は、一般的に、リングギヤと、サンギヤと、複数のピニオンギヤと、ピニオンギヤと同数のピニオンシャフトと、キャリヤとを含んだ構成になっている（例えば特許文献１参照。）。
【０００５】
そして、リングギヤの内径側には、サンギヤが同心状に挿通されている。これらリングギヤとサンギヤとの対向環状空間には、ピニオンギヤがそれぞれ円周等間隔に配置されており、このピニオンギヤがリングギヤとサンギヤとにそれぞれ噛合されている。
【０００６】
各ピニオンギヤの中心孔には、ピニオンシャフトが軸受を介して回転可能に挿通されている。複数のピニオンシャフトの軸方向両端は、キャリヤに支持されている。
【０００７】
このキャリヤは、各ピニオンシャフトの軸方向一端側を支持する第１支持部と、各ピニオンシャフトの軸方向他端側を支持する第２支持部と、これら両支持部を連結する連結部とを含んだ構成とされている。
【０００８】
例えば各連結部は、第１支持部と一体的に形成されていて、その外周縁から軸方向に延出されるようになっており、その延出端が第２支持部に結合されるようになっている。
【０００９】
このように、連結部が第１支持部に一体に形成されているので、第１支持部と連結部とがキャリヤ本体と呼ばれ、また、第２支持部がフランジまたはキャリヤカバーと呼ばれることがある。
【００１０】
第１支持部および第２支持部は、軸方向に離隔して対向配置される二枚のリング状プレートとされている。また、連結部は、第１、第２支持部とされる各リング状プレートの外径側の円周数ヶ所に、当該両リング状プレート間に架け渡されるブリッジ状プレートとされている。
【００１１】
このようなリング状プレートからなる第１、第２支持部において対応する円周数ヶ所には、軸方向に貫通する貫通孔が設けられている。
【００１２】
この第１支持部の貫通孔には、各ピニオンシャフトの一端側が、また、第２支持部の貫通孔には、各ピニオンシャフトの他端側がそれぞれ嵌入装着されている。この各ピニオンシャフトは、その両端面がキャリヤに対して加締められることによって、軸方向の位置決めと回り止めとが行われている。
【００１３】
また、円周方向に隣り合って設けられるブリッジ状プレートからなる連結部それぞれの間は、径方向内外に開放されており、この開放部分からピニオンギヤの一部が外径側に張り出すようになっている。
【特許文献１】特開２００１−２００８９７号公報
【発明の開示】
【発明が解決しようとする課題】
【００１４】
上記特許文献１中に記載している従来例の項目には、要するに、「従来例のキャリヤは、その連結部が単純な板形状であって、断面係数が小さく剛性が低くなっているために、例えばサンギヤから動力を入力させてキャリヤから動力を出力させる場合に、前記キャリヤの連結部がねじり、せん断、曲げ等の変形を起こしやすくなる」と記載されている。
【００１５】
このように、動力伝達時に前記連結部が変形すると、キャリヤの第１支持部と第２支持部とが回転方向にずれるために、例えばピニオンシャフトが、その一方の端部側が他方の端部側よりも回転方向に進む形で傾くことがある。
【００１６】
そのような場合には、ピニオンシャフトに支持されるピニオンギヤと、それに噛合されるサンギヤおよびリングギヤとの歯当たり状態が悪くなるために、それらの噛み合いに起因する騒音が増加したり、各ギヤの耐久性が低下したり、することになる。
【００１７】
また、上記特許文献１の従来例の項目には、「連結部をプレスにて曲げ成形するような場合に、例えば連結部の付け根側の第１支持部に前記曲げ変形による周囲への影響を逃がすための切欠を設けることがあるが、そのような場合には、前記切欠部分でキャリヤの強度が低下することが懸念される」という記載もある。
【００１８】
このようなことから、上記特許文献１では、前記キャリヤの連結部について複数の屈曲部分を設けることによって、当該連結部の剛性を高めるようにしている。しかしながら、その場合、連結部を複雑に屈曲した形状にしているために、その製造が困難となって、製造コストが高くつくことが懸念される。ここに改良の余地がある。
【００１９】
ところで、この他、例えば特表２００５−５３０９６８号公報には、プラネタリギヤ装置において、遊星歯車（ピニオンギヤ）とピニオンシャフトとキャリヤとをアセンブリ構造とすることにより、前記遊星歯車を斜行させないようにすることが開示されている。なお、この特許文献ではピニオンシャフトの軸方向両端部分が小径になっているが、そのことに特別な目的意識は存在していない。つまり、この特許文献は単に参考例として提示しただけで、本発明の先行技術には値しないものである。
【００２０】
本発明は、複数のピニオンギヤをそれぞれピニオンシャフトを介してキャリヤに支持させたプラネタリギヤ装置において、過大なトルクが入力されても、ピニオンシャフトが傾くことを抑制または防止可能として、各ギヤの歯当たり状態を良好に保てるようにすることを目的としている。
【課題を解決するための手段】
【００２１】
本発明は、複数のピニオンギヤをそれぞれピニオンシャフトを介してキャリヤに支持させたプラネタリギヤ装置であって、前記キャリヤが、前記各ピニオンシャフトの一端側を支持する第１支持部と、前記各ピニオンシャフトの他端側を支持する第２支持部と、これら両支持部を連結する連結部とを含んだ構成とされ、前記ピニオンシャフトにおいて前記いずれか一方の支持部に支持される片方の端部が小径軸部とされ、当該ピニオンシャフトの胴部に、当該胴部と前記小径軸部との段壁面から前記胴部内へ向けて凹む凹部が設けられている、ことを特徴としている。
【００２２】
この構成では、従来例のようにキャリヤの連結部の形状を複雑化して剛性を高める対策とは異なり、要するに、ピニオンシャフトにおける片方の端部側の剛性を意図的に低下させるようにしている。
【００２３】
ところで、例えば過大なトルクの入力に伴いキャリヤの連結部が捩れたり撓んだりと弾性変形することによって、キャリヤの第１支持部と第２支持部とが回転方向にずれることがあると、ピニオンシャフトが、その一方の端部側（剛性低下させた側）が他方の端部側よりも回転方向に進む形で傾こうとする。
【００２４】
しかしながら、そのときに、当該ピニオンシャフトにおいて剛性低下させた側の端部が弾性変形されることになるために、前述したキャリヤの第１支持部と第２支持部との回転方向のずれが吸収されることになる。そのため、結局、ピニオンシャフトが傾かずに、プラネタリギヤ装置の中心軸線に対し略平行な姿勢に保たれるようになる。
【００２５】
このように、ピニオンシャフトの傾きを抑制または防止することが可能になるから、ピニオンシャフトに支持されるピニオンギヤと、それに噛み合うサンギヤおよびリングギヤとの歯当たり状態が良好に保たれることになり、結果的に、前記各ギヤの噛合部からの騒音の発生や各ギヤの耐久性の低下を抑制または防止することが可能になる。
【００２６】
好ましくは、前記キャリヤの第１支持部および第２支持部は、軸方向に離隔して対向配置される二枚のリング状プレートとされ、前記キャリヤの連結部は、前記二枚のリング状プレートの円周数ヶ所において当該両リング状プレートに架け渡されるブリッジ状プレートとされる。このように、キャリヤの構成を特定することができる。
【００２７】
好ましくは、前記凹部は、前記小径軸部の周りに連続する環状溝とされ、この環状溝の内径側周面が、前記小径軸部の外周面と面一になるように連続的に設けられる。
【００２８】
この場合、ピニオンシャフトを製造する際に、例えば小径軸部と凹部とを例えば連続した切削加工によって形成することが可能になる等、作業工程を減らせる等、低コストに製造することが可能になる。
【００２９】
また、本発明は、入力されるエンジン動力と内部に配備されるモータ動力との少なくともいずれか一方を、必要に応じて下流側へ伝達する動力分割機構を有するとともに、前記モータ動力を変速するリダクション機構を有する車両用トランスアクスルであって、前記リダクション機構や動力分割機構の少なくともいずれか一方が、請求項１から３のいずれか一つに記載のプラネタリギヤ装置とされる、ことを特徴としている。
【００３０】
この構成では、プラネタリギヤ装置の利用対象を、ハイブリッド車両用トランスアクスルのリダクション機構や動力分割機構に特定している。
【００３１】
このようなリダクション機構や動力分割機構をプラネタリギヤ装置とする場合、一般的に、入力されるトルクが大きくなる程、キャリヤの連結部分が捩れたり撓んだりする等、弾性変形しやすくなる。
【００３２】
そのため、前記本発明特徴を備えない場合であれば、前記連結部分が弾性変形してピニオンシャフトが傾きやすくなるが、前記本発明特徴を備える場合には、前記連結部分が弾性変形した場合でも、ピニオンシャフトの傾きを抑制または防止することが可能になる。これにより、リダクション機構や動力分割機構の静粛性、ならびに寿命の向上に貢献できるようになる。
【発明の効果】
【００３３】
本発明に係るプラネタリギヤ装置は、過大なトルクが入力されても、ピニオンシャフトが傾くことを抑制または防止可能としているから、各ギヤの歯当たり状態を良好に保つことが可能になり、騒音の低減、ならびに各ギヤの耐久性の低下を抑制または防止することが可能になる。その結果、静粛性ならびに寿命の向上に貢献できるようになる。
【００３４】
また、本発明に係る車両用トランスアクスルは、前記プラネタリギヤ装置をリダクション機構や動力分割機構として利用しているから、リダクション機構や動力分割機構の静粛性ならびに寿命の向上に貢献できる。
【発明を実施するための最良の形態】
【００３５】
以下、本発明の最良の実施形態について図面を参照して詳細に説明する。図１から図６に本発明の一実施形態を示している。
【００３６】
本発明に係るプラネタリギヤ装置の特徴部分の説明に先立ち、当該プラネタリギヤ装置の概略構成を、図１から図３に示して説明する。
【００３７】
図１は、本発明に係るプラネタリギヤ装置の一実施形態の概略構成を示すスケルトン図、図２は、プラネタリギヤ装置の詳細な断面構造を示す図、図３は、図２の（３）−（３）線断面の矢視図である。
【００３８】
図中、５０はプラネタリギヤ装置の全体を示している。このプラネタリギヤ装置５０は、主として、リングギヤ５１と、サンギヤ５２と、複数のピニオンギヤ（プラネタリギヤとも言う）５３と、ピニオンギヤ５３と同数のピニオンシャフト５４と、キャリヤ５５とを含んだ構成になっている（例えば特許文献１参照。）。
【００３９】
リングギヤ５１は、その内周面にヘリカル状の歯が設けられたヘリカルギヤとされている。サンギヤ５２は、その外周面にヘリカル状の歯が設けられたヘリカルギヤとされている。複数のピニオンギヤ５３は、その外周面にヘリカル状の歯が設けられたヘリカルギヤとされている。
【００４０】
そして、リングギヤ５１の内径側には、サンギヤ５２が同心状に挿通されている。これらリングギヤ５１とサンギヤ５２との対向環状空間には、ピニオンギヤ５３がそれぞれ円周等間隔に配置されており、このピニオンギヤ５３がリングギヤ５１とサンギヤ５２とにそれぞれ噛合されている。
【００４１】
各ピニオンギヤ５３の中心孔には、ピニオンシャフト５４が軸受（符号省略）を介して回転可能に挿通されている。
【００４２】
前記軸受は、転がり軸受またはすべり軸受とされるが、例えばいわゆるケージアンドローラと呼ばれるものとされている。このケージアンドローラは、複数の針状ころと保持器とで構成されており、ピニオンギヤ５３を外輪とし、ピニオンシャフト５４を内輪とするものである。
【００４３】
複数のピニオンシャフト５４の軸方向両端は、キャリヤ５５に支持されている。
【００４４】
このキャリヤ５５は、各ピニオンシャフト５４の軸方向一端側を支持する第１支持部５６と、各ピニオンシャフト５４の軸方向他端側を支持する第２支持部５７と、これら両支持部５６，５７を連結する連結部５８とを含んだ構成とされている。
【００４５】
この実施形態では、図４および図５に示すように、各連結部５８が第１支持部５６側に一体的に形成されていて、その外周縁から軸方向に延出されるようになっており、このように延出形成される各連結部５８の自由端側は、それぞれ円周方向に連結されている。この各連結部５８の自由端側が、第２支持部５７に溶接またはボルト留め等の方法で結合されるようになっている。
【００４６】
このように連結部５８が第１支持部５６に一体に形成されているので、第１支持部５６と連結部５８とがキャリヤ本体と呼ばれ、また、第２支持部５７がフランジまたはキャリヤカバーと呼ばれることがある。
【００４７】
詳しくは、第１支持部５６および第２支持部５７は、軸方向に離隔して対向配置される二枚のリング状プレートとされている。また、連結部５８は、第１、第２支持部５６，５７とされる各リング状プレートの外径側の円周数ヶ所に、当該両リング状プレート間に架け渡されるブリッジ状プレートとされている。
【００４８】
なお、この実施形態では。ブリッジ状プレートからなる各連結部５８の自由端側がそれぞれ円周方向に連接されている。
【００４９】
このようなリング状プレートからなる第１、第２支持部５６，５７において対応する円周数ヶ所には、軸方向に貫通する貫通孔５６ａ，５７ａが設けられている。
【００５０】
この第１支持部５６の貫通孔５６ａには、各ピニオンシャフト５４の軸方向一端側が、また、第２支持部５７の貫通孔５７ａには、各ピニオンシャフト５４の軸方向他端側がそれぞれ嵌入装着されている。この各ピニオンシャフト５４は、その両端面がキャリヤ５５に対して加締められることによって、軸方向の位置決めと回り止めとが行われている。
【００５１】
また、円周方向に隣り合って設けられるブリッジ状プレートからなる連結部５８それぞれの間は、径方向内外に開放されており、この開放部分からピニオンギヤ５３の一部が外径側に張り出すようになっている。
【００５２】
このようなプラネタリギヤ装置５０は、いろいろな設置形態で使用することが可能であるが、その一例を説明する。
【００５３】
例えばサンギヤ５２を入力とし、リングギヤ５１から出力を取り出す場合、あるいはその逆の関係とする場合には、リングギヤ５１を非回転のケース（図示省略）に転がり軸受（図示省略）を介して回転可能に支持させて、サンギヤ５２の中心孔に入力用あるいは出力用の回転軸６１をスプライン嵌合し、キャリヤ５５の第１支持部５６の外周数箇所に設けた凸部５６ｂを前記非回転のケースに凹凸嵌合させることによって非回転に取り付け、キャリヤ５５の第１、第２支持部５６，５７の中心孔をサンギヤ５２およびサンギヤ５２にスプライン嵌合される回転軸６１に対して非接触とする（図２参照）。
【００５４】
この他、図示していないが、例えばリングギヤ５１を前記非回転のケースなどに摩擦係合式ブレーキを介して取り付けるとともに、キャリヤ５５を前記非回転のケースに転がり軸受を介して相対回転可能に取り付けることでピニオンギヤ５３の公転動作に連動して回転可能な形態とすることも可能である。
【００５５】
その場合、前記ブレーキを係合させると、リングギヤ５１が前記非回転のケースに非回転に結合されることになり、また、前記ブレーキを係合解除させると、リングギヤ５１が前記非回転のケースに対して相対回転可能となる。
【００５６】
次に、上述した構成のプラネタリギヤ装置５０において本発明の特徴を適用した部分を、図２から図６を参照して詳細に説明する。
【００５７】
要するに、キャリヤ５５の連結部５８の形状を従来例のように複雑化して剛性を高める対策とは異なり、ピニオンシャフト５４において第１支持部５６側の端部の剛性を意図的に低下させることにより、仮に、過大なトルクが入力されることに伴いキャリヤ５５の連結部５８が弾性変形して第１支持部５６と第２支持部５７とが回転方向にずれた場合に、ピニオンシャフト５４において剛性低下させた端部を弾性変形させることで前記回転方向のずれを吸収させるようにし、ピニオンシャフト５４の姿勢をプラネタリギヤ装置５０の中心軸線と略平行に保たせるようにしている。
【００５８】
このピニオンシャフト５４において第１支持部５６側の端部の剛性は、キャリヤ５５の連結部５８の剛性を考慮した実験等によって、適宜に設定するのが好ましい。
【００５９】
具体的に、ピニオンシャフト５４において第１支持部５６側の端部の剛性を低下させるための構成について説明する。
【００６０】
まず、各ピニオンシャフト５４においてキャリヤ５５の第１支持部５６側に支持される側の端部を、小径軸部５４ｂとする。
【００６１】
そして、各ピニオンシャフト５４の胴部５４ａに、当該胴部５４ａと小径軸部５４ｂとの段壁面５４ｃから胴部５４ａ内へ向けて凹む凹部５４ｄを設ける。
【００６２】
この凹部５４ｄは、小径軸部５４ｂの周りに連続する環状溝とされ、この環状溝の内径側周面が、小径軸部５４ｂの外周面と面一になるように連続的に設けられている。このような環状溝からなる凹部５４ｄを設けることによって、ピニオンシャフト５４において第１支持部５６側の端部が、円筒形状になっている。
【００６３】
このように、ピニオンシャフト５４において第１支持部５６側の端部に、環状溝からなる凹部５４ｄを設けている場合、この凹部５４ｄの軸方向に沿う深さ寸法および径方向に沿う幅寸法を、それぞれ大きくする程、剛性が低下することになる。したがって、この凹部５４ｄの軸方向に沿う深さ寸法および径方向に沿う幅寸法を、必要に応じて調整することによって、必要な剛性を確保することが可能になる。
【００６４】
ところで、各ピニオンシャフト５４には、ケージアンドローラに対して潤滑油を供給するための油通路５９が設けられている。この油通路５９は、ピニオンシャフト５４の小径軸部５４ｂの端面と各ピニオンシャフト５４の外周面においてケージアンドローラの軌道面領域とにそれぞれ開放するように設けられている。この油通路５９は、軸方向に沿う孔と径方向に沿う孔とを連通連結させることによって構成されている。
【００６５】
このような油通路５９をピニオンシャフト５４に設けている場合には、この油通路５９の存在によるピニオンシャフト５４の剛性低下分も考慮して、前記凹部５４ｄを形成するのが好ましい。
【００６６】
また、ピニオンシャフト５４は、一般的に、適宜の金属材料、例えば軸受鋼等で形成されて、その胴部５４ａの外周面において少なくともケージアンドローラの軌道面とされる領域には、適宜の硬化処理（焼入れ、浸炭焼入れ、焼入れ後の焼き戻し等）が施されて十分な耐摩耗性が確保されるようになっている。
【００６７】
このピニオンシャフト５４の小径軸部５４ｂや、ピニオンシャフト５４における第２支持部５７側の端部には、前記硬化処理を施さないようにしている。というのは、その部分の端面には、上述したようにキャリヤ５５に対する位置決めおよび回り止めのために加締め加工が施されるので、当該部分を硬化すると加締め加工を行えなくなるからである。
【００６８】
次に、上述したように、ピニオンシャフト５４においてキャリヤ５５の第１支持部５６側の剛性を意図的に低下させるようにしていると、次のような作用、効果が得られるので、説明する。
【００６９】
例えばプラネタリギヤ装置５０に過大なトルクが入力したときに、キャリヤ５５の第２支持部５７側が捩れたり撓んだりする等、弾性変形しやすくなり、このような弾性変形が発生すると、キャリヤ５５の第１支持部５６と第２支持部５７とが回転方向にずれることがある。
【００７０】
仮に、第１支持部５６側（剛性低下させた側）が第２支持部５７側よりも回転方向に進むようにずれた場合には、ピニオンシャフト５４が、その第１支持部５６側（剛性低下させた側）が第２支持部５７側よりも回転方向に進む形で傾こうとする。
【００７１】
しかしながら、そのとき、ピニオンシャフト５４において剛性低下させた第１支持部５６側の回転方向上流側が弾性変形されることになるために、前述したキャリヤ５５の第１支持部５６と第２支持部５７との回転方向のずれが吸収されることになる。
【００７２】
そのため、結局、ピニオンシャフト５４が傾かずに、プラネタリギヤ装置５０の中心軸線に対し略平行な姿勢に保たれるようになる。
【００７３】
このように、ピニオンシャフト５４の傾きを抑制または防止することが可能になるから、このピニオンシャフト５４に支持されるピニオンギヤ５３と、それに噛み合うサンギヤ５２およびリングギヤ５１との歯当たり状態が良好に保たれることになり、結果的に、前記各ギヤ５１，５２，５３の噛合部からの騒音の発生や、各ギヤ５１，５２，５３の耐久性の低下を抑制または防止することが可能になる。
【００７４】
以上説明したように、本発明を適用したプラネタリギヤ装置５０では、キャリヤ５５の連結部５８の形状を従来例のように複雑化することなく、ピニオンシャフト５４に比較的簡単な対策を施すことによって、各ギヤ５１，５２，５３の噛合状態を良好に保つようにしており、静粛性ならびに寿命の向上を達成するうえで有利となる。
【００７５】
ところで、上述したプラネタリギヤ装置５０の利用対象の一例を、図７から図９に示して説明する。
【００７６】
図７には、フロントエンジン・フロントドライブ（ＦＦ）方式のハイブリッド車両用のトランスアクスルを例示している。図７において、１は内燃機関、２は車輪、３はトランスアクスルである。
【００７７】
内燃機関１の運転に伴い出力軸であるクランクシャフト１ａを回転駆動し、トランスアクスル３を介して車輪２を前進駆動または後進駆動させるようになっている。
【００７８】
トランスアクスル３は、いわゆる２モータ式と呼ばれるものであり、図７から図９に示すように、主に発電機として機能する第１モータジェネレータ５と、主に電動機として機能する第２モータジェネレータ６と、動力分割機構７と、リダクション機構８と、デファレンシャル９とを含む構成である。
【００７９】
各構成要素（５〜９）の基本構成やトランスアクスル３の動作は公知であるので、ここでの詳細な説明を割愛して簡単に説明する。
【００８０】
第１、第２のモータジェネレータ５，６は、ロータ（符号省略）と、ロータに対し非接触で対向する状態でトランスアクスル３のケースに固定されるステータ（符号省略）とにより構成されている。つまり、ロータは、永久磁石等で構成され、また、ステータは、鉄心に回転磁界を形成する三相コイルを巻回した構成であり、前記三相コイルに接続されるインバータ（図示省略）を制御装置４で制御することにより二つのモータジェネレータ５，６を発電機あるいは電動機として機能させるようになっている。
【００８１】
動力分割機構７は、内燃機関１および第２モータジェネレータ６の少なくとも一方から出力される動力を、カウンタードライブギヤ１２、カウンタードリブンギヤ１３およびファイナルギヤ１４を介してデファレンシャル９に伝達するもので、例えばシングルピニオンタイプのプラネタリギヤ装置を主体とする構成になっている。
【００８２】
リダクション機構８は、内燃機関１および第２モータジェネレータ６の少なくとも一方から出力される動力を適宜の減速比で減速して、カウンタードライブギヤ１２、カウンタードリブンギヤ１３およびファイナルギヤ１４を介してデファレンシャル９に伝達するもので、例えばシングルピニオンタイプのプラネタリギヤ装置を主体とする構成になっている。
【００８３】
デファレンシャル９は、ツーピニオンタイプであり、ファイナルギヤ１４から入力される動力を必要に応じて左右の車輪２，２に分配して伝達するものである。
【００８４】
このような構成のトランスアクスル３に備える動力分割機構７やリダクション機構８を構成するプラネタリギヤ装置を、図１から図６に示した構成とすることができる。
【００８５】
例えば、図８および図９では、動力分割機構７やリダクション機構８を構成するプラネタリギヤ装置の各構成要素に、図１から図６で使用した符号をそのまま記載している。なお、動力分割機構７やリダクション機構８は、図８に示すように、一つに連結された単一のリングギヤ５１を用いている。
【００８６】
このような場合、動力分割機構７やリダクション機構８を構成するプラネタリギヤ装置のギヤ相互の歯当たり状態が良好となるので、当該各ギヤの噛合部からの騒音の発生ならびに各ギヤの耐久性の低下を抑制または防止することが可能になる。このことに伴い、プラネタリギヤ装置からなる動力分割機構７やリダクション機構８についての静粛性、ならびに寿命の向上に貢献できるようになる
なお、本発明は上記実施形態のみに限定されるものではなく、種々な応用や変形が考えられる。
【００８７】
（１）本発明に係るプラネタリギヤ装置５０においてピニオンギヤ５３の使用数は、特に限定されるものではなく、必要に応じて適宜設定される。
【００８８】
（２）上記実施形態で説明したキャリヤ５５については、図４および図５に例示したものと機能的に同様であれば、その形状や構成を適宜変更することが可能である。
【００８９】
（３）上記実施形態では、ピニオンシャフト５４における第１支持部５６側の端部に小径軸部５４ｂおよび凹部５４ｄを設けた例を挙げているが、例えばピニオンシャフト５４における第２支持部５７側の端部に小径軸部５４ｂおよび凹部５４ｄを設けるようにしてもよい。
【００９０】
（４）上記実施形態では、凹部５４ｄの内径側周面を小径軸部５４ｂの外周面と面一になるように連続的に形成した例を挙げているが、凹部５４ｄの内径側周面と小径軸部５４ｂの外周面とを異径にして段差がつくような構造にしてもよい。
【００９１】
（５）本発明に係るプラネタリギヤ装置５０の使用対象は、上述したように自動変速機の構成部品だけに限定されるものではなく、工作機械や各種機器等の動力伝達経路に用いられるいろいろな装置として具体化することができる。
【図面の簡単な説明】
【００９２】
【図１】本発明に係るプラネタリギヤ装置の一実施形態の概略構成を示すスケルトン図である。
【図２】本実施形態のプラネタリギヤ装置の詳細な断面構造を示す図である。
【図３】図２の（３）−（３）線断面の矢視図である。
【図４】本実施形態のプラネタリギヤ装置に備えるキャリヤの分解斜視図で、第１支持部側から見た図である。
【図５】本実施形態のプラネタリギヤ装置に備えるキャリヤの分解斜視図で、第２支持部側から見た図である。
【図６】本実施形態のプラネタリギヤ装置に備えるピニオンシャフトを部分的に示す斜視図である。
【図７】本発明に係る車両用トランスアクスルの一実施形態の概略構成を示すスケルトン図である。
【図８】図７における動力分割機構やリダクション機構の詳細な断面構造を示す図である。
【図９】図８の（９）−（９）線断面の矢視図である。
【符号の説明】
【００９３】
３      トランスアクスル
５      第１モータジェネレータ
６      第２モータジェネレータ
７      動力分割機構
８      リダクション機構
５０      プラネタリギヤ装置
５１      リングギヤ
５２      サンギヤ
５３      ピニオンギヤ
５４      ピニオンシャフト
５４ａ    ピニオンシャフトの胴部
５４ｂ    ピニオンシャフトの小径軸部
５４ｃ    ピニオンシャフトの段壁面
５４ｄ    ピニオンシャフトの凹部
５５      キャリヤ
５６      キャリヤの第１支持部
５７      キャリヤの第２支持部
５８      キャリヤの連結部
【図１】
2009108996.tif 000003
【図２】
2009108996.tif 000004
【図３】
2009108996.tif 000005
【図４】
2009108996.tif 000006
【図５】
2009108996.tif 000007
【図６】
2009108996.tif 000008
【図７】
2009108996.tif 000009
【図８】
2009108996.tif 000010
【図９】
2009108996.tif 000011